(57)【要約】【課題】用紙を重ね合わせて後処理装置に搬送する際に、ＪＡＭ発生時に束作成やインサート用紙挿入で落丁を生じさせることなくＪＡＭ処理を容易にする。【解決手段】画像形成装置と、後処理部と、第１の積載部と、第１の積載部とは異なる第２の積載部と、第１の積載部と第２の積載部への用紙の搬送を切り替える搬送切替え部を有する後処理装置と、用紙を複数枚重ねる重ね部を有し、画像形成装置と後処理装置の間に接続されて画像形成装置で画像形成された用紙を重ね部で複数枚重ねて後処理装置へ受け渡す中間装置と、画像形成システムの動作を制御する制御部を有し、制御部は重ね部で複数枚重ねる予定の最終枚かつ後処理装置で冊子形成するための冊子の最終枚である用紙が異常用紙となって重ね部に到達しない場合、異常用紙に先行して中間装置で重ね部に排紙された用紙を後処理装置に搬送し、搬送切り替え部の動作によって第２の積載部へ排出する。【選択図】図１４
2015049491.tif 000002
【特許請求の範囲】
【請求項１】
用紙に画像形成を行う画像形成装置と、
前記画像形成装置で画像形成された用紙を複数枚束ねて冊子形成する冊子後処理部と、
前記冊子後処理部で形成された冊子が排出される第１の積載部と、
用紙が排出され、前記第１の積載部とは異なる第２の積載部と、
前記第１の積載部への用紙の搬送と、前記第２の積載部への用紙の搬送とを切り替える搬送切替え部と、を有する後処理装置と、
用紙を複数枚重ねる重ね部を有し、前記画像形成装置と前記後処理装置の間に接続されて前記画像形成装置で画像形成された用紙を前記重ね部で複数枚重ねて前記後処理装置へ受け渡す中間装置と、
当該画像形成システムの動作を制御する制御部と、を有し
前記制御部は、前記重ね部で複数枚重ねる予定の最終枚、かつ、前記後処理装置で冊子形成するための冊子の最終枚である用紙が異常用紙となって前記重ね部に到達しない場合、前記異常用紙に先行して前記中間装置で前記重ね部に排紙された用紙を前記後処理装置に搬送し、前記搬送切り替え部の動作によって前記第２の積載部へ排出することを特徴とする画像形成システム。
【請求項２】
前記制御部は、前記中間装置にて複数枚重ねる予定、かつ、前記後処理装置で冊子形成するための束の最終枚でない用紙の場合には、前記異常用紙に先行して前記中間装置で前記重ね部に送られた用紙を前記後処理装置に搬送し、前記第１の積載部へ排出することを特徴とする請求項１記載の画像形成システム。
【請求項３】
前記制御部は、前記画像形成装置で画像形成された用紙を、前記冊子後処理部で冊子形成せずに前記第１の積載部へ排出する場合、前記重ね部で複数枚重ねる予定の最終枚である用紙が、異常用紙となって前記重ね部に到達しない際には、前記異常用紙に先行して前記中間装置で前記重ね部に排紙された用紙を前記後処理装置に搬送し、前記第１の積載部へ排出することを特徴とする請求項１記載の画像形成システム。
【請求項４】
前記中間装置と、前記冊子後処理部との間に設けられ、インサート用紙を挿入するための挿入給紙装置を有し、
前記制御部は、前記第２の積載部へ排出された用紙を再利用するか否かを設定可能にし、前記用紙の異常が発生し、前記第２の積載部へ排出動作完了によるシステム停止後のリカバリ動作において、前記設定を判定し、
前記第２の積載部へ排出された用紙を再利用する設定の場合には、前記画像形成装置において異常発生した頁から画像形成し、
前記第２の積載部へ排出された用紙を再利用しない設定の場合には、前記画像形成装置において前記第２の積載部へ排出された用紙から画像形成する、ことを特徴とする請求項１に記載の画像形成システム。
【請求項５】
用紙に画像形成を行う画像形成装置と、
前記画像形成装置で画像形成された用紙に後処理を行う後処理部と、
前記画像形成装置で画像形成された用紙が排紙される第１の積載部と、
用紙が排紙され、前記第１の積載部とは異なる第２の積載部と、
前記第１の積載部への用紙の搬送と、前記第２の積載部への用紙の搬送とを切り替える搬送切替え部と、を有する後処理装置と、
用紙を複数枚重ねる重ね部を有し、前記画像形成装置と前記後処理装置の間に接続されて前記画像形成装置で画像形成された用紙を前記重ね部で複数枚重ねて前記後処理装置へ受け渡す中間装置と、
前記中間装置と前記後処理部との間に設けられ、インサート用紙を挿入するための挿入給紙装置と、
当該画像形成システムの動作を制御する制御部と、を有し
前記制御部は、前記重ね部で複数枚重ねる予定の最終枚、かつ、前記最終枚の次のページが前記挿入給紙装置からのインサート用紙である前記用紙が異常用紙となって前記重ね部に到達しない場合、前記異常用紙に先行して前記中間装置で前記重ね部に排紙された用紙を前記後処理装置に搬送し、前記搬送切り替え部の動作によって前記第２の積載部へ排出することを特徴とする画像形成システム。
【請求項６】
前記制御部は、前記第２の積載部へ排出された用紙を再利用するか否かを設定可能にし、前記用紙の異常が発生し、前記第２の積載部へ排出動作完了によるシステム停止後のリカバリ動作において、前記設定を判定し、
前記第２の積載部へ排出された用紙を再利用する設定の場合には、前記画像形成装置において異常発生した頁から画像形成し、
前記第２の積載部へ排出された用紙を再利用しない設定の場合には、前記画像形成装置において前記第２の積載部へ排出された用紙から画像形成する、ことを特徴とする請求項５に記載の画像形成システム。
【請求項７】
前記異常発生は、用紙を搬送する搬送路での用紙の紙詰まりであることを特徴とする請求項１〜６のいずれか１項に記載の画像形成システム。
【請求項８】
前記制御部は、前記用紙の紙詰まりを検出することを特徴とする請求項７記載の画像形成システム。
【請求項９】
前記異常発生は、前記画像形成装置または前記中間装置で発生したものであることを特徴とする請求項１〜８のいずれか１項に記載の画像形成システム。
【発明の詳細な説明】
【技術分野】
【０００１】
この発明は、画像形成を行う画像形成装置と、用紙を重ねて搬送可能な中間装置と、用紙を複数束ねて冊子形成を行う後処理装置とを備える画像形成システムに関する。
【背景技術】
【０００２】
従来より、画像形成装置の生産性と後処理装置の生産性の差を吸収するために、画像形成装置から排出された用紙を中間装置（ＲＵ）にて２枚重ねして、後処理装置へ排出する技術が公開されている（例えば特許文献１参照）。この技術により、画像形成装置と後処理装置の生産性差を吸収し、生産性の低い後処理装置を生産性の高い画像形成装置に接続・動作させることが可能となる。さらに後処理装置は、中間装置にて２枚重ねされたか否かを制御上意識することなく動作することが可能となり、多様な後処理装置の接続が可能になる。
【先行技術文献】
【特許文献】
【０００３】
【特許文献１】特開２００８−３０３０６１号公報
【発明の概要】
【発明が解決しようとする課題】
【０００４】
ところで、中間装置（ＲＵ）で用紙を２枚重ねする予定で、２枚目が画像形成装置内などでＪＡＭ発生などによって中間装置の重ね部に到達しない場合がある。この結果、１枚目の用紙のみが中間装置の重ね部に残されることになる。この場合には、先行して重ね部に排出された１枚の用紙のみを後処理装置に排出することが考えられる。
【０００５】
しかし、２枚重ねをする予定の２枚目が束（冊子）の最終枚である場合には、中間装置から用紙１枚のみを排出すると、後処理装置ではこの１枚の紙を最終枚であると判断し、１枚不足した状態で冊子が形成されることとなり問題である。これは、後処理装置では、中間装置から送られた用紙の枚数を確認する手段を有しておらず、また、画像形成装置や中間装置からは、１枚のみであるのか、２枚重ねられたものであるか、の情報が通知されていないためである。
このような落丁した冊子形成を防止するために、上記のような場合には中間装置にて１枚目のみを中間装置に残し、ＪＡＭとしてユーザに取り出し処理を促している。本問題が発生するのは画像形成装置にＪＡＭが発生する場合であり、画像形成装置と中間装置の両方をＪＡＭ処理することはユーザにとっては負担となる。
【０００６】
本発明は、上記事情を背景としてなされたものであり、ＪＡＭが発生して中間装置の重ね部に適正な枚数の用紙が排紙されない場合にも、ＪＡＭ処理を容易にするとともに、適正でない冊子が形成されるのを回避する画像形成装置を提供することを目的とする。
【課題を解決するための手段】
【０００７】
すなわち、本発明の画像形成システムのうち、第１の本発明は、用紙に画像形成を行う画像形成装置と、
前記画像形成装置で画像形成された用紙を複数枚束ねて冊子形成する冊子後処理部と、
前記冊子後処理部で形成された冊子が排出される第１の積載部と、
用紙が排出され、前記第１の積載部とは異なる第２の積載部と、
前記第１の積載部への用紙の搬送と、前記第２の積載部への用紙の搬送とを切り替える搬送切替え部と、を有する後処理装置と、
用紙を複数枚重ねる重ね部を有し、前記画像形成装置と前記後処理装置の間に接続されて前記画像形成装置で画像形成された用紙を前記重ね部で複数枚重ねて前記後処理装置へ受け渡す中間装置と、
当該画像形成システムの動作を制御する制御部と、を有し
前記制御部は、前記重ね部で複数枚重ねる予定の最終枚、かつ、前記後処理装置で冊子形成するための冊子の最終枚である用紙が異常用紙となって前記重ね部に到達しない場合、前記異常用紙に先行して前記中間装置で前記重ね部に排紙された用紙を前記後処理装置に搬送し、前記搬送切り替え部の動作によって前記第２の積載部へ排出することを特徴とする。
【０００８】
第２の本発明の画像形成システムは、前記第１の本発明において、前記制御部は、前記中間装置にて複数枚重ねる予定、かつ、前記後処理装置で冊子形成するための束の最終枚でない用紙の場合には、前記異常用紙に先行して前記中間装置で前記重ね部に送られた用紙を前記後処理装置に搬送し、前記第１の積載部へ排出することを特徴とする。
【０００９】
第３の本発明の画像形成システムは、前記第１の本発明において、前記制御部は、前記画像形成装置で画像形成された用紙を、前記冊子後処理部で冊子形成せずに前記第１の積載部へ排出する場合、前記重ね部で複数枚重ねる予定の最終枚である用紙が、異常用紙となって前記重ね部に到達しない際には、前記異常用紙に先行して前記中間装置で前記重ね部に排紙された用紙を前記後処理装置に搬送し、前記第１の積載部へ排出することを特徴とする。
【００１０】
第４の本発明の画像形成システムは、前記第１の本発明において、前記中間装置と、前記冊子後処理部との間に設けられ、インサート用紙を挿入するための挿入給紙装置を有し、
前記制御部は、前記第２の積載部へ排出された用紙を再利用するか否かを設定可能にし、前記用紙の異常が発生し、前記第２の積載部へ排出動作完了によるシステム停止後のリカバリ動作において、前記設定を判定し、
前記第２の積載部へ排出された用紙を再利用する設定の場合には、前記画像形成装置において異常発生した頁から画像形成し、
前記第２の積載部へ排出された用紙を再利用しない設定の場合には、前記画像形成装置において前記第２の積載部へ排出された用紙から画像形成する、ことを特徴とする。
【００１１】
第５の本発明の画像形成システムは、用紙に画像形成を行う画像形成装置と、
前記画像形成装置で画像形成された用紙に後処理を行う後処理部と、
前記画像形成装置で画像形成された用紙が排紙される第１の積載部と、
用紙が排紙され、前記第１の積載部とは異なる第２の積載部と、
前記第１の積載部への用紙の搬送と、前記第２の積載部への用紙の搬送とを切り替える搬送切替え部と、を有する後処理装置と、
用紙を複数枚重ねる重ね部を有し、前記画像形成装置と前記後処理装置の間に接続されて前記画像形成装置で画像形成された用紙を前記重ね部で複数枚重ねて前記後処理装置へ受け渡す中間装置と、
前記中間装置と前記後処理部との間に設けられ、インサート用紙を挿入するための挿入給紙装置と、
当該画像形成システムの動作を制御する制御部と、を有し
前記制御部は、前記重ね部で複数枚重ねる予定の最終枚、かつ、前記最終枚の次のページが前記挿入給紙装置からのインサート用紙である前記用紙が異常用紙となって前記重ね部に到達しない場合、前記異常用紙に先行して前記中間装置で前記重ね部に排紙された用紙を前記後処理装置に搬送し、前記搬送切り替え部の動作によって前記第２の積載部へ排出することを特徴とする。
【００１２】
第６の本発明の画像形成システムは、前記第５の本発明において、前記制御部は、前記第２の積載部へ排出された用紙を再利用するか否かを設定可能にし、前記用紙の異常が発生し、前記第２の積載部へ排出動作完了によるシステム停止後のリカバリ動作において、前記設定を判定し、
前記第２の積載部へ排出された用紙を再利用する設定の場合には、前記画像形成装置において異常発生した頁から画像形成し、
前記第２の積載部へ排出された用紙を再利用しない設定の場合には、前記画像形成装置において前記第２の積載部へ排出された用紙から画像形成する、ことを特徴とする。
【００１３】
第７の本発明の画像形成システムは、前記第１〜第６の本発明のいずれかにおいて、前記異常発生は、用紙を搬送する搬送路での用紙の紙詰まりであることを特徴とする。
【００１４】
第８の本発明の画像形成システムは、前記第７の本発明において、前記制御部は、前記用紙の紙詰まりを検出することを特徴とする。
【００１５】
第９の本発明の画像形成システムは、前記第１〜第８の本発明のいずれかにおいて、前記異常発生は、前記画像形成装置または前記中間装置で発生したものであることを特徴とする。
【発明の効果】
【００１６】
本願発明によれば、画像形成装置などでＪＡＭ発生した場合に、ユーザのＪＡＭ処理操作を低減することができ、不適切な冊子の形成を防ぐことができる効果がある。
【図面の簡単な説明】
【００１７】
【図１】本願発明の画像形成システムの一実施形態における機械的概要を示す図である。
【図２】同じく、制御ブロックを示す図である。
【図３】同じく、中間装置で用紙を重ねて後処理装置に搬送する通常の手順を説明する図である。
【図４】同じく、中間装置で用紙を重ねて後処理装置に搬送する通常の手順の開始当初の状態を詳細に説明する図である。
【図５】同じく、中間装置で用紙を重ねて後処理装置に搬送する通常の手順の最終段階での状態を詳細に説明する図である。
【図６】従来の画像形成システムにおいて、中間装置で用紙を重ねて後処理装置に搬送する手順で、２枚重ね予定で、束最終枚の用紙がＪＡＭになった際に、中間装置からそのまま用紙を排出して課題が生じた状態を説明する図である。
【図７】同じく、中間装置で用紙を重ねて後処理装置に搬送する手順で、２枚重ね予定で、束最終枚の用紙がＪＡＭになった際に、中間装置に残してＪＡＭ処理を行う課題が生じた状態を説明する図である。
【図８】同じく、中間装置で用紙を重ねて後処理装置に搬送する手順で、２枚重ね予定で、束最終枚でない用紙がＪＡＭになった際に、中間装置からそのまま用紙を排出して課題が生じていない状態を説明する図である。
【図９】同じく、束後処理を行わない用紙を中間装置で用紙を重ねて後処理装置に搬送する手順で、２枚重ね予定で、最終枚の用紙がＪＡＭになった際に、中間装置からそのまま用紙を排出して課題が生じていない状態を説明する図である。
【図１０】同じく、束後処理を行わない用紙を中間装置で用紙を重ねて後処理装置に搬送する手順で、２枚重ね予定で、次ページがインサート用紙である用紙がＪＡＭになった際に、中間装置からそのまま用紙を排出して課題が生じている状態を説明する図である。
【図１１】本願発明の画像形成システムの一実施形態において、中間装置で用紙を重ねて後処理装置に搬送する手順で、２枚重ね予定で、束最終枚の用紙がＪＡＭになった際に、中間装置の用紙を「パージ排出指示」でサブトレイに排出する手順を説明する図である。
【図１２】同じく、リカバリー動作で、サブトレイに排紙された用紙と同じページから画像形成装置で再印刷する手順または、サブトレイに排紙された用紙を挿入給紙部にセットし、異常紙と同じページで画像形成装置で印刷する手順を説明する図である。
【図１３】同じく、束後処理を行わない用紙を中間装置で用紙を重ねて後処理装置に搬送する手順で、２枚重ね予定で、次ページがインサート用紙である用紙がＪＡＭになった際に、中間装置の用紙をサブトレイに排出する手順を説明する図である。
【図１４】同じく、異常紙発生有無に応じた後処理装置での排出手順を説明するフローチャートである。
【図１５】同じく、中間装置の重ね合わせ部での２枚重ね条件を判定する手順を説明するフローチャートである。
【図１６】同じく、後処理装置での排出方法を判定する手順を説明するフローチャートである。
【図１７】同じく、インサート用紙の有無による後処理装置での排出方法を判定する手順を説明するフローチャートである。
【図１８】同じく、後処理装置での排出手順の詳細を説明するフローチャートである。
【発明を実施するための形態】
【００１８】
以下に、本発明の一実施形態を添付図面に基づいて説明する。
本実施形態の画像形成システム１は、用紙に画像形成を行う画像形成装置１０と、中間装置２０と、後処理装置３０とが順に接続されている。なお、本実施形態の画像形成システムでは、これら装置が必須のものであるが、本発明としてはその他の装置を有するものであってもよく、例えば、大容量給紙トレイや、中間装置と後処理装置の間に挿入給紙装置を設けるものなどであってもよい。また、他の後処理装置が多段に接続されているものであってもよい。
【００１９】
画像形成装置１０は、上部側に自動原稿給送装置（ＡＤＦ）１３が設けられており、自動原稿給送装置（ＡＤＦ）１３で給送される原稿は図２で示される画像読取部１３０で画像読取が可能になっている。なお、原稿は、図示しないプラテンガラス上で読み込むこともできる。
【００２０】
また、画像形成装置１０の本体上部側で、プラテンガラスが位置しない箇所に、操作表示部１４０のＬＣＤ１４が設置されている。ＬＣＤ１４はタッチパネルで構成されており、操作者による操作および情報の表示が可能になっている。ＬＣＤ１４は、操作部と表示部を兼用している。なお、操作部をマウスやタブレットなどで構成し、表示部とは別体で構成することも可能である。また、ＬＣＤ１４は移動可能となっているものであってもよい。
【００２１】
画像形成装置１０の本体下部側には、複数の給紙トレイ１１（図では２段）が配置されている。画像形成装置１０内には、いずれかの給紙トレイ１１から給紙される用紙を給紙する給紙部１２０が設けられており、給紙部１２０は、用紙搬送部１２１に接続されている。用紙搬送部１２１は搬送経路１２や図示しない搬送ローラなどを有しており、搬送経路１２は、中間装置２０の搬送経路に接続されるいる。搬送経路１２の途中には、画像形成部１１０が設けられている。画像形成部１１０は、感光体１１０Ａ、感光体１１０Ａの周囲に配置した図示しない、帯電器、ＬＤ、現像器、転写部を有しており、さらに感光体１１０Ａの下流側の搬送経路１２には図示しない定着器が配置されている。
【００２２】
定着器の下流側で、搬送経路１２は中間装置２０の搬送経路に接続されており、また定着器の下流側で分岐して、画像形成部１１０の上流側の搬送経路１２に合流する反転搬送経路１２Ａが接続されている。
【００２３】
画像形成部１１０では、帯電器により画像書込み前に感光体１１０Ａの表面を一様に帯電し、ＬＤにより表面が一様に帯電された感光体１１０Ａに半導体レーザを照射することにより感光体１１０Ａに静電潜像を形成する。現像器は、ＬＤによって感光体１１０Ａに形成された静電潜像をトナー部材によって現像する。この現像処理によって感光体１１０Ａにトナー画像が形成される。転写部は、給紙トレイ１１から搬送されてきた用紙に感光体１１０Ａのトナー画像を転写する。トナー画像が転写された用紙は、感光体１１０Ａから分離されて定着器に搬送される。感光体１１０Ａに残留したトナー部材は図示しない、クリーニング部によって除去される。
定着器は、搬送された用紙を加熱することにより用紙の表面側に転写されたトナー画像を出力画像として定着する。定着処理が施された用紙は、搬送経路１２によって中間装置２０に搬送されるか、反転搬送経路１２Ａを通して表裏が反転された後、画像形成部１１０の上流側で搬送経路１２に返流される。
【００２４】
中間装置２０には、画像形成装置１０の搬送経路１２に接続され、後段の後処理装置３０に接続される搬送経路２２を有している。搬送経路２２には、搬送経路２２を搬送される用紙を所定枚数重ね合わせて搬送する重ね合わせ部２３０を有しており、重ね合わせ部２３０に重ね合わせ経路２３を有している。
重ね合わせ部２３０でスタックされた用紙は、所定のタイミングで後処理装置３０側に搬送することができ、また、重ね合わせ部２３０に用紙をスタックすることなく搬送経路２２を通して後処理装置３０側に用紙を搬送することもできる。
【００２５】
後処理装置３０では、中間装置２０の搬送経路２２に接続される搬送経路３２を有しており、該搬送経路３２の途中に冊子処理として平綴じ機能を有する平綴じ部３３１を有している。平綴じ部３３１は、本願発明の冊子後処理部に相当する。
なお、本願発明としては冊子処理が平綴じに限定されるものではなく、中綴じ、中折り、製本処理などを挙げることができ、本願発明としては特定の処理に限定されるものではなく、後処理装置に２種類以上の冊子処理が可能となるものであってもよい。
【００２６】
この実施形態では、後処理装置３０において、後処理設定に従って中間装置２０から搬送される用紙に平綴じ部３３１で平綴じ処理が行われる。後処理実行の設定がなされていない場合には、後処理を行うことなくストレートで排紙する。
【００２７】
後処理装置３０には、メイン排紙トレイ３６Ａとサブ排紙トレイ３６Ｂを有しており、搬送経路３２には、メイン排紙トレイ３６Ａへの用紙の搬送と、サブ排紙トレイ３６Ｂへの用紙の搬送とを切り替える搬送切り替え部３３を有している。搬送切り替え部３３では、搬送経路３２を搬送される用紙をメイン排紙トレイ３６Ａに搬送するか、サブ排紙トレイ３６Ｂに排紙するか、スタッカ部３３０に搬送するかを切り替えることができる。
搬送切り替え部３３の構成は特に限定されるものではなく、経路切り替えを行えるものであればよく、可動ゲートなどにより構成することができる。搬送経路３２では、搬送切り替え部３３を介してメイン排紙トレイ３６Ａにストレートで至る搬送経路３２Ａと、サブ排紙トレイ３６Ｂに至る搬送経路３２Ｂと、スタッカ部３３０に至り、メイン排紙トレイ３６Ａに至る搬送経路３２Ｃとに分岐している。
【００２８】
また、後処理装置３０では、挿入トレイ３７を有する挿入給紙部３７０を有しており、挿入トレイ３７にセットされた用紙をカバー挿入紙などのインサート用紙として用紙間に挿入することができ、中間装置２０と平綴じ部３３１との間で用紙を搬送経路３２に挿入することができる。
【００２９】
次に、画像形成システム１の機能ブロックを図２のブロック図に基づいて説明する。
画像形成装置１０は、画像処理部１０５、画像読取部１３０、画像形成部１１０、操作表示部１４０、ＣＰＵ１００、ＲＯＭ１０１、ＲＡＭ１０２、後処理機Ｉ／Ｆ１５０等から構成されている。
【００３０】
画像処理部１０５は、画像読取部１３０によって読み取られた原稿画像の画像データや図示しないＨＤＤなどに格納された画像データに対して、各種画像処理を施す。
【００３１】
画像読取部１３０は、原稿に対して図示しない光源により光を照射し、その反射光に基づいて原稿画像の画像データを読み取る。読み取られた画像データは、画像形成部１１０に通知されるとともに、ＨＤＤなどに格納される。
【００３２】
画像形成部１１０は、画像読取部１３０により読み取られ、画像処理部１０５により画像処理が施された画像データや外部から取得した画像データなどに基づいて、用紙に画像を形成する。用紙に対して画像を形成する方法としては、電子写真方式、インクジェット方式、レーザプリント方式等が考えられる。
【００３３】
操作表示部１４０は、表示部と操作部またはこれらが合体した装置により構成することができ、この実施形態では、ＬＣＤ１４によって表示部と操作部とが一体になって構成されている。操作表示部１４０は、用紙に対する画像形成や後処理に関する各種設定を入力することが可能であり、入力された各種設定の内容に応じて、画像形成装置１０、後処理装置３０はそれぞれ用紙に対して画像を形成し、後処理を施す。また、操作表示部１４０からは、用紙の紙種や斤量に関する情報を入力することも可能である。
【００３４】
ＣＰＵ１００は、画像形成装置１０内の各部から通知される情報に基づいて、画像形成装置１０全体の動作を制御する。また、ＣＰＵ１００は、中間装置２０や後処理装置３０に制御指令を送信してこれら装置を制御することができる。すなわち、ＣＰＵ１００は、本願発明の制御部として機能する。
【００３５】
ＲＯＭ１０１には、各種のプログラム或いはデータが格納されており、ＣＰＵ１００はＲＯＭ１０１からプログラム或いはデータを読み出して画像形成装置１０を制御する。
【００３６】
ＲＡＭ１０２は、ＣＰＵ１００が画像形成装置１０を制御する際に必要なプログラム或いはデータを一時的に記憶する場所である。ＨＤＤなどには、画像読取部１３０により読み取られた画像データ等が格納される。
【００３７】
後処理機Ｉ／Ｆ１５０は、中間装置２０や後処理装置３０との間で各種情報のやり取りを行うインターフェースである。
【００３８】
中間装置２０では、画像形成装置１０の後処理機Ｉ／Ｆ１５０と通信するための前段Ｉ／Ｆ２１０を有している。
中間装置２０内では、搬送経路２２や図示しない搬送ローラなどを含む用紙搬送部２２０を有しており、搬送経路２２の中途に２枚の用紙を重ね合わせる重ね合わせ部２３０が設けられている。重ね合わせ部２３０は、本願発明の重ね部に相当する。なお、この実施形態では、重ね合わせ部２３０の重ね枚数は最大で２枚に設定されているが、本願発明としては重ね部の重ね可能枚数が２枚に限定されるものではなく、３枚以上の重ね合わせが可能なものであってもよい。
【００３９】
ＣＰＵ２００は、中間装置２０内の各部から通知される情報に基づいて、中間装置２０全体の動作を制御する。また、画像形成装置１０のＣＰＵ１００からの指示によって動作して中間装置２０を制御することができる。
ＲＯＭ２０１には、各種のプログラム或いはデータが格納されており、ＣＰＵ２００はＲＯＭ２０１からプログラム或いはデータを読み出して中間装置２０を制御する。
【００４０】
ＲＡＭ２０２は、ＣＰＵ２００が中間装置２０を制御する際に必要なプログラム或いはデータを一時的に記憶する場所である。
【００４１】
入力部２４０は、各種入力情報を受けてＣＰＵ２００に情報を伝達するものであり、センサ２４１で搬送される用紙の検出を行い、検出結果をＣＰＵ２００に送信する。これにより重ね合わせ部２３０における用紙のスタックを検知することができる。
【００４２】
出力部２５０は、各種の負荷２５１に対し必要な駆動電圧を出力するものであり、用紙搬送部２２０の搬送ローラなどを駆動させる。
【００４３】
後段Ｉ／Ｆ２６０は、後処理装置３０と各種情報のやり取りを行うインターフェースであり、さらに画像形成装置１０と後処理装置３０との間に介在して画像形成装置１０と後処理装置３０との間で情報のやり取りを行うことも可能にする。
【００４４】
後処理装置３０は、前段Ｉ／Ｆ３１０を有しており、前段Ｉ／Ｆ３１０は、中間装置２０の後段Ｉ／Ｆ２６０と各種情報のやり取りを行うインターフェースである。
後処理装置３０には、搬送経路３２を有する用紙搬送部３２０を有しており、後処理装置３０内での用紙の搬送を行う。
搬送経路３２の中途には、用紙をスタックするスタッカ部３３０を有しており、その下流側に平綴じ部３３１を有している。
平綴じ部３３１は、複数枚の用紙に対し平綴じを行うものであり、スタッカ部３３０でスタックされた用紙を受けて平綴じが行われる。スタッカ部３３０および平綴じ部３３１は、本願発明の冊子後処理部を構成するものである。
【００４５】
ＣＰＵ３００は、後処理装置３０内の各部から通知される情報に基づいて、後処理装置３０全体の動作を制御する。また、画像形成装置１０のＣＰＵ１００からの指示によって動作して後処理装置３０を制御することができる。
ＲＯＭ３０１には、各種のプログラム或いはデータが格納されており、ＣＰＵ３００はＲＯＭ３０１からプログラム或いはデータを読み出して後処理装置３０を制御する。
【００４６】
ＲＡＭ３０２は、ＣＰＵ３００が後処理装置３０を制御する際に必要なプログラム或いはデータを一時的に記憶する場所である。
【００４７】
入力部３４０は、各種入力情報を受けてＣＰＵ３００に情報を伝達するものであり、センサ３４１で搬送される用紙の検出を行い、検出結果を入力部３４０に送信する。これによりスタッカ部３３０への用紙到達を検知して、平綴じ部３３１に束を送って冊子処理を開始することができる。
【００４８】
出力部３５０は、駆動電圧を出力するものであり、各種の負荷３５１に駆動電圧を供給することができる。例えば、搬送ローラの駆動や冊子処理の開始に伴って平綴じ部３３１の駆動負荷を動作させる。
【００４９】
挿入給紙部３７０は、用紙中にインサート紙を挿入するものであり、挿入トレイ３７を有している。
【００５０】
メイントレイユニット３６０は、冊子を排紙するメイン排紙トレイ３６Ａを動作させるユニットである。また、後処理装置３０には、メイン排紙トレイ３６Ａとは異なるサブ排紙トレイ３６Ｂを備えている。メイン排紙トレイ３６Ａは、本願発明の第１の積載部に相当し、サブ排紙トレイ３６Ｂは、本願発明の第２積載部に相当する。
なお、この実施形態では、第１の積載部と第２の積載部とが同一の後処理装置に備えられているものとして説明をしたが、後処理装置を複数有する場合、第１の積載部と第２の積載部とがそれぞれが異なる後処理装置に備えられているものであってもよい。
【００５１】
なお、スタッカ部３３０において先行の用紙が積載され、平綴じ部３３１で後処理が施されている間、平綴じ処理には所定の時間を要するため、中間装置２０では、重ね合わせ部２３０で、先行、後続の用紙を２枚重ね合わせながら、先行の用紙がスタッカ部３３０から排出されるまで待機させる動作を行う。
【００５２】
スタッカ部３３０へ、部の最終の用紙が排出されると、先行の１枚目から最終の用紙までを部単位としてこれらの複数の用紙に対して平綴じ部３３１により平綴じ処理が施される。
画像形成装置１０では給紙時点で用紙が束最終枚であることを後処理装置３０に通知する。これは、次の部に対して、後処理のための時間を確保する必要がある場合、後処理装置３０からその時間を通知してもらう必要があるためである。このタイミングで後処理装置３０から必要な時間をもらい、画像形成装置１０のレジストなどでその時間を待機させる。
上記のような動作を行うことで、本実施形態では、先行の部の用紙に対して平綴じ処理が行われている間も、後続の部の用紙の給紙を中断させる必要がなくなるため、生産性を向上させることが可能となる。
【００５３】
図３は、中間装置２０で２枚ずつ用紙を重ね合わせながら後処理装置３０に搬送し、１００枚目で束冊子を形成する動作を示す図である。
中間装置２０で２枚ずつ重ね合わされた用紙は、順次、２枚ずつ後処理装置３０に送られる。後処理装置３０では、搬送切り替え部３３によって搬送方向が搬送経路３２Ｃに切り替えられており、用紙は、後処理装置３０のスタッカ部３３０にスタックされる。冊子最終枚に相当する１００枚目の用紙が中間装置２０に重ね合わされ、これが後処理装置３０に送られてスタック部３３０にスタックされると、画像形成装置１０から送信されている最終枚であるとの情報に基づいてスタック部３３０にスタックされた１００枚の用紙が平綴じ部３３１に送られて平綴じが行われる。
【００５４】
上記動作をさらに図４、５に基づいて詳細に説明する。
画像形成装置１０で、１枚目、２枚目の用紙に順次、画像形成が行われると（図４（１））、１枚目の用紙が中間装置２０の重ね合わせ部２３０にスタックされ、さらに３枚目の用紙が画像形成装置１０内で給紙される（図４（２））。
用紙の搬送が進むと、重ね合わせ部２３０に２枚目の用紙が到達し、１枚目と２枚目の用紙とが重ね合わされた状態で後処理装置３０に搬送され、画像形成装置１０内では４枚目の用紙が給紙されている（図４（３））。
３枚目の用紙は、重ね合わせ部２３０で１枚目の用紙としてスタックし、画像形成装置１０では次の用紙（５枚目）を給紙する（図４（４））。
【００５５】
上記手順を順々に進めると、束の最終ページとなる１００枚目の用紙が画像形成装置１０で給紙される（図５（５））。画像形成装置１０では、１００枚目（束最終枚）給紙時点で、束最終紙（綴じ処理を実行する紙）であることを後処理装置３０に通知する（図５（５））。この際に、ＩＤ９９が束最終紙である情報に代えて後処理装置に通知される。
中間装置２０では、９９枚目と１００枚目の用紙が重ね合わされて後処理装置３０に送られ（図５（６））、後処理装置３０では、１００枚の用紙がスタッカ部３３０にスタックされる。後処理装置３０では、画像形成装置１０から束最終枚であると通知されたＩＤ９９の用紙がスタックされたため、平綴じ部３３１に送って冊子処理を行うことで適正な冊子が形成される（図５（７））。形成された冊子は、搬送経路３２、３２Ａによって予め定めたメイン排紙トレイ３６Ａに排紙される（図５（８））。
【００５６】
次に、重ね合わせ部に重ねられる予定の最終枚で、束最終枚の用紙である１００枚目の用紙が画像形成装置１０内で紙詰まりし、ＪＡＭになって異常紙となった場合について説明する。
中間装置２０には、先行の用紙である９９枚目の用紙がスタックされており、画像形成装置１０内で１００枚目の用紙が異常紙になっている（図６（１））。
画像形成装置１０では、上記異常紙の発生に伴って、中間装置２０内に残っている用紙を後処理装置３０に排出する（図６（２））。
なお、後処理装置３０では、画像形成装置１０によってＩＤ９９の用紙が束最終枚の用紙であるとの通知を受けている。このため後処理装置３０では、ＩＤ９９の用紙が１枚で搬送されても、スタッカ部３３０では束最終枚の用紙がスタックされたものとして、平綴じ部３３１に送って平綴じがされる（図６（３））。
形成された冊子は、予め定められたようにメイン排紙トレイ３６Ａに排紙される（図６（４））。しかし、実際には１００枚目の用紙が含まれずに平綴じされており、落丁となるものである。
【００５７】
次に、他の処理例を図７に基づいて説明する。
上記異常紙の発生に際し、中間装置２０には、先行の用紙である９９枚目の用紙がスタックされており、画像形成装置１０内で１００枚目の用紙が異常紙になっている（図７（１））。
画像形成装置１０のＣＰＵ１００では、異常紙の発生に伴って中間装置２０内に残っている９９枚目の用紙は排出せず、中間装置２０内にとどめてＪＡＭ紙として処理する（図７（２））。
用紙はユーザによって取り除く必要がある。ユーザにとっては、画像形成装置１０内で発生したＪＡＭ紙の取り除きに加えて紙詰まりの原因でない余計なＪＡＭ紙取り除きの作業が発生し、負担増になる。
【００５８】
次に、重ね合わせ部に重ねられる予定の最終枚であって、束最終枚の用紙でない用紙が画像形成装置１０内で紙詰まりし、ＪＡＭになって異常紙となった場合について、図８に基づいてその動作を説明する。
例えば、１００枚の冊子処理に際し、９７枚目が中間装置２０にスタックされ、束最終枚の用紙でない９８枚目の用紙が画像形成装置１０内で紙詰まりし、ＪＡＭになって異常紙となる（図８（１））。
この場合、画像形成装置１０のＣＰＵ１００では、９７枚目の用紙のみで中間装置２０から後処理装置３０に送り、スタッカ部３３０にスタックさせる（図８（２））。
スタッカ部では、束最終枚の用紙が送られていないので、用紙はスタックしたままにする。
画像形成装置１０では、ＪＡＭ紙を取り除き、異常紙となった用紙と同ページ、すなわち９８ページから再印刷する（図８（３））。この例では、束最終枚の用紙が異常紙になったものではないので、画像形成装置１０からＪＡＭ紙取り除いた後、問題なく処理を継続することができる。  
【００５９】
次に、重ね合わせ部に重ねられる予定の最終枚であって、最終枚の用紙が画像形成装置１０内で紙詰まりし、ＪＡＭになって異常紙となった場合について、図９に基づいてその動作を説明する。ただし、用紙は束処理を行うものではなく、ストレートで排紙される。
中間装置２０では、用紙を２枚ずつ重ねながら後処理装置３０に搬送し、２枚になった用紙は、後処理装置３０に送られてメイン排紙トレイ３６Ａに排紙される。９９枚目の用紙が中間装置２０にスタックされ、最終枚の用紙である１００枚目の用紙が画像形成装置１０内で紙詰まりし、ＪＡＭになって異常紙となる（図９（１））。
画像形成装置１０のＣＰＵ１００では、異常紙の発生に伴って、中間装置２０にスタックされた９９枚目の用紙を１枚で後処理装置３０に排出する（図９（２））。
ＩＤ９９の用紙はストレートモードであるので、スタッカ部３３０にはスタックすることなくメイン排紙トレイ３６Ａに排紙する（図９（３））。
この例では、ＪＡＭ紙を取り除いて画像形成装置１０で１００枚目を再印刷することで問題なく処理を継続することができる。
【００６０】
次に、挿入給紙部３７０の挿入トレイ３７からインサート用紙を給紙する場合、重ね合わせ部２３０に重ねられる予定の最終枚であって、次ページの用紙がインサート用紙である用紙が画像形成装置１０内で紙詰まりし、ＪＡＭになって異常紙となった際について、図１０に基づいてその動作を説明する。
この例では、５１枚目と５２枚目の用紙の後に、５３枚目のインサート用紙が挿入されるため、挿入トレイ３７には、５３枚目のインサート用紙がセットされている。画像形成装置１０のＣＰＵ１００では、インサート用紙が挿入される先行の用紙が給紙されたことを後処理装置３０に通知する。通知では、インサート前の先行用紙としてＩＤ５１を通知する。
５２枚目の用紙が画像形成装置１０内で紙詰まりし、ＪＡＭになって異常紙となる（図１０（１））。
画像形成装置１０のＣＰＵ１００では、中間装置２０にスタックされた５１枚目の用紙１枚を後処理装置２０に送る（図１０（２））。
後処理装置３０では、インサート用紙が挿入される先行する用紙が送られたものとして挿入給紙部３７０によって５３枚目の用紙を挿入する。後処理装置３０では、５２枚目がない出力物が得られ、落丁となる（図１０（３））。
なお、この例は、冊子後処理部を有する後処理装置３０について説明を行っているが、後処理部が冊子処理を行うものに限定されるものではない。
【００６１】
なお、上記各例で課題が生じるものは、ＪＡＭ紙が画像形成装置１０内で発生したものとして説明したが、ＪＡＭが重ね合わせ部２３０に至る前の中間装置２０内で発生した場合にも、ＪＡＭ紙情報はＣＰＵ２００で取得され、画像形成装置１０のＣＰＵ１００に送信されることで、同様の課題が生じる。
【００６２】
次に、本実施形態における動作について図１１に基づいて説明する。
中間装置２０で２枚づつ用紙を重ね合わせながら１００枚の冊子を形成する場合、重ね合わせ部２３０に重ねられる予定の最終枚であって、最終枚の用紙が画像形成装置１０内で紙詰まりし、ＪＡＭになって異常紙となる（図１１（１））。
中間装置２０では、９９枚目の用紙１枚でパージ排出指示に基づいて後処理装置３０に送る（図１１（２））。
ＩＤ９９枚目の用紙はパージ排出紙であり、画像形成装置１０のＣＰＵ１００では、後処理装置３０に対し、パージ排出指示を行う。後処理装置３０では、パージ排出指示に基づいて搬送切り替え部３３を切り替えて排紙先をサブ排紙トレイ３６Ｂに変更する。これに伴って、９９枚目の用紙はスタッカ部３３０に送られることなくサブ排紙トレイ３６Ｂに排紙される（図１１（３））。
画像形成装置１０でのＪＡＭ処理後の再スタート（リカバリ動作）は、図１２で説明する。
【００６３】
なお、画像形成装置１０のＣＰＵ１００では、リカバリ動作での設定が可能になっており、サブ排紙トレイに排紙された用紙を再利用するか否かの設定が可能になっている。該設定は、機械設定によって定められているものであってもよく、また、操作表示部１４０を通してユーザが設定できるようにしてもよい。
サブ排紙トレイ３６Ｂに排紙した用紙を再利用しない設定の場合、ＣＰＵ１００では、画像形成装置１０において、サブ排紙トレイ３６Ｂに排紙したページと、異常紙となったページとを再印刷することで処理を継続することができる（図１２（４）−Ａ）。
サブ排紙トレイ３６Ｂに排紙した用紙を再利用する設定の場合、サブ排紙トレイ３６Ｂに排紙された９９枚目の用紙を挿入給紙部３７０にセットし（図１２（４）−Ｂ）、ＣＰＵ１００は画像形成装置１０で異常紙となった１００枚目のページから再印刷を行い、挿入給紙部３７０にセットされた用紙を搬送し、その後続として１００枚目の用紙を搬送する。なお、リカバリ動作においては、挿入給紙部３７０に用紙がセットされたかを判定して動作を開始するようにしてもよい。
【００６４】
図１３は、他の実施形態を説明するものであり、用紙間にインサート用紙を挿入する場合、重ね合わせ部に重ねられる予定の最終枚であって、次ページの用紙がインサート用紙である用紙が画像形成装置１０内で紙詰まりし、ＪＡＭになって異常紙となった際について、図１３に基づいてその動作を説明する。
挿入トレイ３７には、５３枚目のインサート用紙がセットされており、５１枚目の用紙は中間装置２０にスタックされ、５２枚目の用紙が画像形成装置１０内で紙詰まりし、ＪＡＭになって異常紙となっている（図１３（１））。
画像形成装置１０のＣＰＵ１００では、中間装置２０にスタックされた５１枚目の用紙１枚を「パージ排出指示」によって後処理装置２０に送る（図１３（２））。
後処理装置３０では、画像形成装置１０のＣＰＵ１００のパージ排出指示に従って搬送切り替え部３３を切り替えて排紙先をサブ排紙トレイ３６Ｂに変更し、５１枚目の用紙はスタッカ部３３０に送られることなくサブ排紙トレイ３６Ｂに排紙される（図１３（３））。
リカバリ動作では、サブ排紙トレイ３６Ｂに排紙された用紙を再利用するか否かの設定に従って、図１２と同様に処理を行うことができる。
なお、この例は、冊子後処理部を有する後処理装置３０について説明を行っているが、後処理部が冊子処理を行うものに限定されるものではなく、冊子処理の有無に拘わらず本願発明の効果を得ることができる。
【００６５】
なお、上記の例では、ＪＡＭが重ね合わせ部２３０に至る前の中間装置２０内でＪＡＭが発生した場合にも、ＪＡＭ情報はＣＰＵ２００で取得され、画像形成装置１０のＣＰＵ１００に送信されることで、同様の制御を行うことができる。この場合にも、中間装置２０で２カ所のＪＡＭを発生させることなく処理のリカバリを行うことが可能になる。
【００６６】
次に、異常紙発生有無に応じた後処理装置での排出手順を図１４のフローチャートに基づいて説明する。以下の手順は本発明の制御部によって実行される。
画像形成システムの動作が開始されると、後処理装置３０で２枚重ね条件かの判定がなされる（ステップｓ１）。２枚重ねであれば（ステップｓ１、ＹＥＳ）、２枚重ねの１枚目かの判定がなされる（ステップｓ２）。２枚重ね条件でなければ（ステップｓ１、ＮＯ）、一枚のみで排出し（ステップｓ９）、ＪＯＢ最終紙かの判定を行う（ステップｓ１０）。ＪＯＢ最終紙であれば（ステップｓ１０、ＹＥＳ）処理を終了し、ＪＯＢ最終紙でなければ（ステップｓ１０、ＮＯ）、ステップｓ１に戻って処理を継続する。
【００６７】
ステップｓ２で、２枚重ねの１枚目であると判定されると（ステップｓ２、ＹＥＳ）、中間装置のスタッカ（重ね部）に滞留させ、停止要求条件があるかの判定を行う（ステップｓ３）。２枚重ねの１枚目である場合（ステップｓ２、ＮＯ）、スタッカ（重ね部）に滞留している１枚目と重ね合わせて排出し（ステップｓ８）、ＪＯＢ最終紙かを判定する（ステップｓ１０）。ＪＯＢ最終紙であれば（ステップｓ１０、ＹＥＳ）処理を終了し、ＪＯＢ最終紙でなければ（ステップｓ１０、ＮＯ）、ステップｓ１に戻って処理を継続する。
【００６８】
ステップｓ４の判定は、制御部によって紙詰まり（異常）が発生しているかの判定により行われる。異常が発生していなければ（ステップｓ４、ＮＯ）、ステップｓ１に戻って処理を継続し、異常が発生していれば（ステップｓ４、ＹＥＳ）、排出方法の判定を行う（ステップｓ５）。通常の排紙であれば（ステップｓ５、通常）、通常排紙を行い（ステップｓ６）、処理を終了する。パージ排出であれば（ステップｓ５、パージ）、パージ排出を行い（ステップｓ７）、処理を終了する。
【００６９】
次に、図１４における２枚重ね条件判定の詳細な手順を図１５のフローチャートに基づいて説明する。以下の手順は本発明の制御部によって実行される。
処理の開始に伴って、２枚重ねの１枚目かの判定がなされる（ステップｓ２０）。２枚目であれば（ステップｓ２０、ＮＯ：２枚目）、一枚目と同じ紙条件かの判定がなされる（ステップ２１）。１枚目と同じ紙条件でなければ（ステップｓ２１、ＮＯ）、ＮＯ判定として処理を終了する。１枚目と同じ紙条件であれば（ステップｓ２１、ＹＥＳ）、ＹＥＳ判定として処理を終了する。
ステップｓ２０で１枚目であれば（ステップｓ２０、ＹＥＳ：１枚目）、最終紙かの判定を行う（ステップｓ２２）。最終紙であれば（ステップｓ２２、ＹＥＳ）、２枚目と同じ紙条件かを判定する（ステップｓ２３）。最終紙でなければ（ステップｓ２２、ＮＯ）、ＮＯ判定として処理を終了する。
ステップｓ２３で、２枚目と同じ紙条件の場合（ステップｓ２３、ＹＥＳ）、ＹＥＳ判定として処理を終了し、２枚目と同じ紙条件でなければ（ステップ２３、ＮＯ）、ＮＯ判定として処理を終了する。
【００７０】
次に、図１５における排出方法判定の詳細な手順を図１６のフローチャートに基づいて説明する。以下の手順は本発明の制御部によって実行される。
処理の開始に伴って、後処理モードかの判定が行われる（ステップｓ３０）。後処理モードであれば（ステップｓ３０、平綴じ）、束最終紙かを判定する（ステップｓ３１）。束最終紙であれば（ステップｓ３１、ＹＥＳ）、パージ排出にして処理を終了する。
ステップｓ３０でストレートモードの場合（ステップｓ３０、ストレートモード）、またはステップ３１で束最終紙でない場合（ステップｓ３１、ＮＯ）、通常排紙にして処理を終了する。
【００７１】
次に、図１４の排出方法判定における他例の詳細を図１７に基づいて説明する。
処理の開始に伴って、次紙がカバー挿入紙かを判定する（ステップｓ４０）。次紙がカバー挿入紙であれば（ステップｓ４０、ＹＥＳ）、パージ排出にして処理を終了する。次紙がカバー挿入紙でなければ（ステップｓ４０、ＮＯ）、通常排出にして処理を終了する。
【００７２】
次に、後処理装置における排出手順の詳細を図１８のフローチャートに基づいて説明する。以下の手順は本発明の制御部によって実行される。
処理開始に伴って、後処理モードが判定される（ステップｓ５０）。ストレートモードの場合（ステップｓ５０、ストレートモード）、パージ処理かを判定し（ステップｓ５１）、パージ処理でなければストレート排紙を行い（ステップｓ５３）、パージ処理であければサブトレイ排紙を行う（ステップｓ５４）。
サブトレイモードの場合（ステップｓ５０、サブトレイモード）、サブトレイ排出を行う。平綴じモードの場合（ステップｓ５０、平綴じモード）、パージ処理かを判定し（ステップｓ５２）、パージ処理であれば（ステップｓ５２、ＹＥＳ）、サブトレイ排紙を行い（ステップｓ５４）、パージ処理でなければ（ステップｓ５２、ＮＯ）、スタッカ部への排出を行う（ステップｓ５５）。
【００７３】
ストレート排紙（ステップｓ５３）後、搬送ゲート（搬送切り替え部）をストレート方向に切り替え（ステップｓ５６）、サブトレイ排紙（ステップｓ５４）後、搬送ゲート（搬送切り替え部）をサブトレイ方向に切り替え（ステップｓ５７）、スタッカ排出では搬送ゲート（搬送切り替え部）をスタッカ方向に切り替える（ステップｓ５８）。
【００７４】
ストレート方向への切り替え（ステップｓ５６）後、またはサブトレイ方向への切り替え（ステップｓ５７）後、ＪＯＢ最終紙かの判定を行う（ステップｓ６１）。スタッカ方向への切り替え（ステップｓ５８）後、部最終紙かの判定を行う（ステップｓ５９）。
部最終紙でなければ（ステップｓ５９、ＮＯ）、ＪＯＢ最終紙かの判定を行う（ステップｓ６１）。部最終紙であれば（ステップｓ５９、ＹＥＳ）、平綴じ処理を行い、メイン排紙トレイ３６Ａに冊子排出を行い（ステップｓ６０）、部最終紙かの判定を行う（ステップｓ６１）。
【００７５】
ＪＯＢ最終紙かの判定（ステップｓ６１）では、ＪＯＢ最終紙であれば（ステップｓ６１、ＹＥＳ）、処理を終了し、ＪＯＢ最終紙でなければ（ステップｓ６１、ＮＯ）、ステップｓ５０に戻って処理を継続する。
【００７６】
以上、本発明について上記実施形態に基づいて説明を行ったが、本発明の範囲をしない限りは適宜の変更が可能であり、本発明の範囲内となるものである。
【符号の説明】
【００７７】
１    画像形成システム
１０    画像形成装置
１２    搬送経路
２０    中間装置
２２    搬送経路
３０    後処理装置
３２    搬送経路
３３    搬送切り換え部
３６Ａ  メイン排紙トレイ
３６Ｂ  サブ排紙トレイ
３７    挿入トレイ
１００    ＣＰＵ
１１０    画像形成部
１５０    後処理機Ｉ／Ｆ
２００    ＣＰＵ
２１０    前段Ｉ／Ｆ
２３０    重ね合わせ部
２６０    後段Ｉ／Ｆ
３１０    前段Ｉ／Ｆ
３３０    スタッカ部
３３１    平綴じ部
３７０    挿入給紙部
【図１】
2015049491.tif 000003
【図２】
2015049491.tif 000004
【図３】
2015049491.tif 000005
【図４】
2015049491.tif 000006
【図５】
2015049491.tif 000007
【図６】
2015049491.tif 000008
【図７】
2015049491.tif 000009
【図８】
2015049491.tif 000010
【図９】
2015049491.tif 000011
【図１０】
2015049491.tif 000012
【図１１】
2015049491.tif 000013
【図１２】
2015049491.tif 000014
【図１３】
2015049491.tif 000015
【図１４】
2015049491.tif 000016
【図１５】
2015049491.tif 000017
【図１６】
2015049491.tif 000018
【図１７】
2015049491.tif 000019
【図１８】
2015049491.tif 000020